(57)【要約】【課題】内容液の噴きこぼれやボタ落ちを抑止すること。【解決手段】中容器２は、貯蔵室本体１８と、貯蔵室本体１８の上部で縮径された頸部２０と、頸部２０の上部から外側へ突出するフランジ２１とを備え、外容器２は、収容部本体８と頸部２０に対応する位置に配設される蓋取付部１０と、中容器３のフランジ２１を取付ける受け口１１とを備え、中容器３を外容器２に装着すると、貯蔵室本体１８の外周面と収容部本体８の内周面との間、及び貯蔵室本体１８の底壁の下面と収容部本体８の底壁の上面との間に間隙を形成した。【選択図】図１
2015157643.tif 000002
【特許請求の範囲】
【請求項１】
内溶液を収容する中容器と、該中容器を収容する外容器を備える液体容器であり、内容液を収容する中容器が、貯蔵室本体とノズル中蓋からなり、該貯蔵室本体は可撓性を有しており、該中容器を収容する外容器が、収容部本体を設け該収容部本体が可撓性を有しており、
前記外容器の収容部本体を介して前記貯蔵室本体を押圧することによって、内容液をノズルから滴下する液体容器において、
前記中容器を外容器に装着すると、前記貯蔵室本体の外周面と前記収容部本体の内周面との間、及び前記貯蔵室本体の底壁下面と前記収容部本体の底壁上面との間に間隙を形成し、
前記外容器の収容部本体を介して前記貯蔵室本体を押圧した後、該押圧力を解除すると前記貯蔵室本体と収容部本体がもとの形状に復帰するように形成したことを特徴とする液体容器。
【請求項２】
前記外容器の上部に蓋取付部が形成されており、該蓋取付部とノズル吐出口の間に溝が設けてある請求項１に記載の液体容器。
【請求項３】
前記中容器の前記貯蔵室本体は、該貯蔵室本体の上部から外側へ突出するフランジを備え、前記外容器は、前記収容部本体と、蓋取付部と、前記中容器のフランジを懸架する受け口とを備えてある請求項１又は２に記載の液体容器。
【請求項４】
前記中容器の前記貯蔵室本体の一部を前記外容器の蓋取付部の下部内周壁に支持させるようにした請求項1〜３のいずれか1項に記載の液体容器。
【請求項５】
前記中容器は前記ノズル中蓋と前記貯蔵室本体とが別々に成形され、該ノズル中蓋のノズルの基端部に、該ノズルを囲繞する前記溝を形成した連結部を形成し、該連結部を前記貯蔵室本体に装着するようにした請求項２〜４のいずれか1項に記載の液体容器。
【請求項６】
前記中容器の貯蔵室本体の外径と前記外容器の蓋取付部の内径とをほぼ等しく形成し、また、前記中容器の貯蔵室本体の上部に縮径された頸部を形成し、該頸部と前記外容器の蓋取付部の軸方向高さをほぼ等しく形成することによって、該頸部と前記蓋取付部との間に間隙を形成した請求項１〜５のいずれか１項に記載の液体容器。
【請求項７】
前記貯蔵室本体の横断面形状を円形に形成し、前記外容器本体の横断面形状を楕円形に形成した請求項１〜６のいずれか１項に記載の液体容器。
【請求項８】
前記内容液が揮発性有機物を含む歯科用材料に用いられる液体である請求項１〜７のいずれか１項に記載の液体容器。
【請求項９】
前記貯蔵室本体の一部またはすべてを蛇腹状に形成した請求項１〜８のいずれか１項に記載の液体容器。
８  ガイド突起
【発明の詳細な説明】
【技術分野】
【０００１】
本発明は、容器内の内容液が温度上昇により揮発・膨張して容器内の内部圧力が大きくなることによる内容液の噴出や内容液の滴下時に内容液が必要以上に吐出するのを防止する液体容器に関する。
【背景技術】
【０００２】
歯科用接着剤や各種の治療薬等の種々の内容液を充填する容器として、容器本体とノズルとを備えてなる液体用容器が用いられる。このような液体用容器は、液体用容器の容器本体を必要角度で傾斜又は逆さにして、容器本体の可撓性を有する胴部の外周面を指先で押圧し、容器本体内に充填された液体を、目的箇所に目掛けて、ノズルの先端に設けられた吐出口より1滴毎若しくは連続的に滴下させる。
このような内容液が、例えば歯科材料の場合には、揮発性有機溶媒（アルコール、アセトン等）を含む液体のように、揮発性の高いものがあり、内容液を滴下した後、ノズルの内部には一部溶媒が残留する。そのため、次に使用すると、ボトルを持った際に指先から熱が貯蔵室本体の壁部を介して容器内に伝わり、内容液が揮発することによって、ノズルに残留している内容液を押し上げる。よって、蓋を開ける際に内容液の噴き出し、噴きこぼれが生じる。特に冷温庫から容器を取り出した直後はこの現象が顕著になる。
また、内容液を滴下するときには、同様に指先からの熱が伝わり、容器内の溶媒が揮発し、容器本体を押し込んでいないのにも拘わらず、容器を逆さまにしただけで、溶媒が滴下してしまうことがある（液のボタ落ち）。
【０００３】
下記の特許文献１及び２は、いずれも容器本体の内容液に熱が伝わるのを防止するものであり、特許文献１の容器は、容器本体の外周面と底面を包う包囲体を設け、包囲体の内面には、上下方向に畝状（線状）に延びた凸状（特許文献１の明細書では押圧力伝達部材）が間隔をあけて多数形成されている。そして、凸状の先端は容器本体と当接し、各凸状間には間隙を形成することによって、空気が充填されており、空気が断熱材として利用されている。
下記の特許文献２には、容器と該容器を包む外容器とが設けられ、外容器の内面には複数の凸状が間隔をあけて形成されている。そして、凸状の先端は内側の容器と接触し、該凸状間には間隙を形成することによって、空気が充填されており、空気が断熱材として利用されている。
【先行技術文献】
【特許文献】
【０００４】
【特許文献１】特許３５７２１５８号公報
【特許文献２】特開２０１０−６９０９８号公報
【発明の概要】
【発明が解決しようとする課題】
【０００５】
このように、特許文献１及び２の容器はいずれも空気を断熱材として使用しており、容器を内外の２重構造にすることによって、断熱性が向上する。
しかしながら、２重構造にすると、断熱性は向上するが、凸状を介して外容器と中容器とが接しているため、接している部分から中容器の媒体に熱が伝わってしまい、噴きこぼれや滴下時におけるボタ落ちなどに関して、未だ改善すべき点がある。
また、外容器の内面に形成した凸状を変形させて外容器を押し込むと、突状（リブ）自体が剛性を有する性格があるため、その分だけ吐出感が悪くなる。断熱効果を高めるため、凸状部分を一部にしか設けなかった場合は、凸状部分を形成したところで必ず押圧しなければならず、不便であり、押し圧位置が少しでもずれると、吐出量が変化してしまい、２液混合型の場合等では等量（適量）採取が難しいなどの問題がある。
本発明はこのような事情に鑑みてなされたものであって、従来よりも断熱効果を向上させるとともに、内容液の噴き出し噴きこぼれやボタ落ちを抑止するとともに、内容液を滴下させるための吐出感を向上させるようにした液体容器を提供することを目的とする。
【課題を解決するための手段】
【０００６】
上記目的を達成するために、本発明の液体容器は、内溶液を収容する中容器と、該中容器を収容する外容器を備える液体容器であり、内容液を収容する中容器が、貯蔵室本体とノズル中蓋からなり、該貯蔵室本体は可撓性を有しており、該中容器を収容する外容器が、収容部本体を設け該収容部本体が可撓性を有しており、前記外容器の収容部本体を介して前記貯蔵室本体を押圧することによって、内容液をノズルから滴下する液体容器において、
前記中容器を外容器に装着すると、前記貯蔵室本体の外周面と前記収容部本体の内周面との間、及び前記貯蔵室本体の底壁下面と前記収容部本体の底壁上面との間に間隙を形成し、前記外容器の収容部本体を介して前記貯蔵室本体を押圧した後、該押圧力を解除すると前記貯蔵室本体と収容部本体がもとの形状に復帰するように形成した。
上記外容器の上部に蓋取り付け部が形成されており、該蓋取り付け部とノズル吐出口の間に溝が設けてあることが好ましい。
上記中容器の前記貯蔵室本体は、該貯蔵室本体の上部から外側へ突出するフランジを備え、前記外容器は、前記収容部本体と、蓋取付部と、前記中容器のフランジを懸架する受け口とを備えることが好ましい。
上記液体容器は、前記中容器の前記貯蔵室本体の一部を前記外容器の蓋取付部の下部内周壁に支持させることが好ましい。
上記液体容器は、前記中容器は前記ノズル中蓋と前記貯蔵室本体とが別々に成形され、前記ノズル中蓋の基端部に、該ノズルを囲繞する前記溝を形成した連結部を形成し、該連結部を前記貯蔵室本体に装着することができる。
上記液体容器は、前記中容器の貯蔵室本体の外径と前記外容器の蓋取付部の内径とをほぼ等しく形成し、また、前記中容器の貯蔵室本体の上部に縮径された頸部を形成し、該頸部と前記外容器の蓋取付部の軸方向高さをほぼ等しく形成することによって、前記頸部と前記蓋取付部との間に間隙を形成することができる。
上記液体容器は、前記貯蔵室本体の横断面形状を円形に形成し、前記外容器本体の横断面形状を楕円形に形成することが好ましい。
上記液体容器の内容液が揮発性有機物を含む歯科用材料に用いられる液体であることが好ましい。
上記貯蔵室本体の一部またはすべてを蛇腹状に形成すると好ましい。
【発明の効果】
【０００７】
本願発明の液体容器は、中容器が、ノズル中蓋と貯蔵室本体とからなり、外容器は、収容部本体を備え、前記中容器を外容器に装着すると、前記貯蔵室本体と前記収容部本体との間に間隙を形成するようにした内外の二重構造であり、中容器の貯蔵室本体は、外容器に接していないか僅かしか接していない構造になっているため、従来の二重構造容器に比べ、より外部の熱が伝わりにくい。ここで、僅かしか接していないとは、貯蔵室本体の面積に対して、１０％以下、好ましくは５％以下、より好ましくは３％以下で接していることである。さらに、外容器と中容器の接触を最小限にしているので、従来の二重構造容器に比べ、より外部の熱が伝わりにくい。また、外容器を単に指先で保持している間は、中容器本体と外容器本体との間の熱の伝導が抑制されるので、従来よりも長時間の保持でも可能になる。よって、従来の液体容器で充分に改善出来ていなかった、噴きこぼれやボタ落ちがより改善され、吐出性も良好である。
【図面の簡単な説明】
【０００８】
【図１】本発明の実施形態による液体容器を斜め横から見た分解斜視図である。
【図２】本発明の実施形態による液体容器の正面方向から見た分解斜視図である。
【図３】図１の液体容器が外蓋を除き組み付けられた状態で、該液体容器を正面方向から見た断面図である。
【図４】図１の液体容器が組み付けられた状態で、該液体容器を側面方向から見た断面図である。
【図５】図１の液体容器の外容器の正面図である。
【図６】図１の液体容器の外容器の側面図である。
【図７】図５の外容器のＡ−Ａ線方向の断面図である。
【図８】図６の外容器のＢ−Ｂ線方向の断面図である。
【図９】図１の液体容器の中容器の貯蔵室本体の正面図である。
【図１０】図９の中容器の貯蔵室本体のＣ−Ｃ線方向の断面図である。
【図１１】図１の液体容器のノズル中蓋の正面図である。
【図１２】図１１のノズル中蓋のＤ−Ｄ線方向の断面図である。
【図１３】図１の液体容器の外容器の外蓋の底面図である。
【発明を実施するための形態】
【０００９】
以下、本発明の実施形態における液体容器について、図面を参照しながら説明する。
図１は、液体容器の斜め横方向からの斜視図、図２は正面方向から見た斜視図、図３は液体容器が外蓋を除いて組み付けられた状態で、該液体容器を正面方向から見た断面図、図４は側面方向から見た断面図である。
液体容器１は、例えば、歯科用材料に用いられるアルコール類やアセトン類などの揮発性有機物を含む液体を収容するものであり、外容器２、中容器３、外蓋５とから構成されている。中容器３は、ノズル中蓋４と貯蔵室本体１８とから構成されており、これらは一体成形されていてもよい。外蓋５と中容器３のノズル中蓋４の材質は、一般的に容器に用いられる材料であれば特に限定されないが、加工のし易さ、使用感、耐腐食性の観点から、容易に変形しない硬さの合成樹脂によって形成されることが好ましい。一方、外容器２、中容器３の貯蔵室本体１８は、これらを押圧し変形させることで内容液を滴下するため、可撓性を有する材料によって形成される。ここで、可撓性を有すとは、撓めることが可能であることをいい、１ｍｍ厚の材料を９０度に折り曲げたときに、折れたり、白濁したりしない材料が特に好ましい。
【００１０】
外容器２と貯蔵室本体１８は、上記と同様の理由により、合成樹脂によって形成されるのが好ましく、合成樹脂のなかでも、可撓性を有し、気密性に優れており、比較的安価な、ポリエチレン、ポリプロピレン、ポリビニルアルコール、エチレン-ビニルアルコール共重合体が好ましい。
液体容器１の構成物は、各々が同じ種類の合成樹脂である必要はない。また、内容液がアルコール類やアセトン類などの揮発性有機物を含む液体の場合には、直径２０ｍｍ高さ５０ｍｍの円柱状の容器にアセトンを２．５ｍｌ収容し、５０℃で１０日間放置後の内容液の減少率が１５％以下、好ましくは１０％以下さらに好ましくは７％以下である合成樹脂を用いることが好ましい。これは、合成樹脂の材質を変えることや、厚みを変えることで達成できる。
【００１１】
外容器２を示す図５〜図８も参照にして、外容器２は、中容器３を収容するものであり、収容部本体８、肩部９、蓋取付部１０、受け口１１を設けている。収容部本体８は、有底楕円筒形状であるが、横断面（中心軸に対して直角方向）形状は円形、多角形のものであってもよい。ただし、本実施形態のように、手に馴染み易く蓋を開け易い円形で、特に容器を横向きに置いた場合に転がり難い楕円形で形成することが好ましい。外容器２は、可撓性を有する材料で形成し、中容器３を収容したときに中容器３の存在が確認できるようにすることで中容器を押す操作が容易になるため、透明又は半透明の合成樹脂で形成されることが好ましく、全光線透過率が４０％以上、より好ましくは５０％以上、さらに好ましくは６０％以上であることが好ましい。
【００１２】
外容器２の両側部には、本実施形態のように、底部１３の近傍から肩部９の下部まで、薄肉部又は凹み部１２（図６，図８参照）が上下方向に形成されている場合には、より手に馴染み易く外蓋５の開閉が容易になり、さらに容器の見た目が小さくなり好ましい。
蓋取付部１０は、ノズル中蓋４、貯蔵室本体１８、外容器２のいずれに設けても良いが、本実施形態のように外容器２の上部に設けた方が、気密性の向上や使用中に中容器が抜けてしまう危険性がないため好適である。外容器２の上部に設けた場合には、蓋取り付け部１０の径を、楕円形状である収容部本体８の短軸の長さよりも小さくすることで、外蓋５の外周壁が外容器２の外周壁よりも大きくならず、容器全体がコンパクトになり好ましい。また、蓋の取り付け方法は、ネジ閉め、はめ込み、カバーする等気密性が十分であれば特に限定されないが、開け易さと気密性の観点から、ネジ閉め方法が好適であり、本実施形態のように、蓋取付部１０の外周面には、外蓋５の雌ねじ４５が螺合する雄ねじ１４を形成することが好ましい。
蓋取付部１０の上端面開口部には、中容器３のフランジ２１を懸架する受け口１１が設けられている。また、蓋取付部１０の内周面の下部に、蓋取付部１０の内周面よりも拡径された段差部１５（図７、図８）を形成すると、中容器が脱離し難く好適である。また、外蓋５と外容器２の勘合を向上させるために、肩部９の外周端を除いて、肩部９には後述する外蓋５の外周壁４２の下面の形状に対応する台座面１６が形成されていてもよい。
【００１３】
図１〜図４を参照にして、中容器３は、ノズル中蓋と貯蔵室本体１８からなる。中容器３は、可撓性を有する材料で形成され、揮発性有機物を含んでも良い液体を収容する容器であって、材質は有色、透明、半透明、不透明の合成樹脂であってもよい。ただし、内容液が光硬化性材料である場合には、外容器２と貯蔵室本体１８のどちらかは遮光性を有していなければならない。また、前述したように、外容器２は中容器３を収容したときに中容器３の存在が確認できるようにすることで中容器を押す操作が容易になるため、内容液が光硬化性材料である場合には、外容器２には透明又は半透明、中容器３には遮光性を有する材料を使用することが好ましい。
【００１４】
図１〜図４とともに図９、図１０を参照にして、貯蔵室本体１８は、フランジ２１を設けており、図３に示すように、中容器３が外容器２に組み込まれると、フランジ２１が受け口１１に懸架されるように成形されている。このように形成すると、容器の組み付けが容易となる他、中容器３を安定に外容器２に保持させることができる。また、成形の容易さや、断熱効果を最大限に発揮させるため、外容器２の蓋取付部１０と中容器３との間に間隙を設けるように、本実施形態のように、貯蔵室本体に肩部１９、頸部２０を設けることがより好ましい。頸部２０は、肩部１９の内側から上方へ延びており、貯蔵室本体１８の径よりも小さく形成され、その径は貯蔵室本体１８よりも０．４〜０．９倍小さく形成されていることが好ましい。頸部２０の上端部にフランジ２１が形成され、頸部２０の半径方向外側へ延びる。成形のし易さ、容器の見栄えの観点から、フランジ２１の外周面は受け口１１の外周面と同じ外径で形成されていることが好ましい。貯蔵室本体１８の形状は、本実施形態では有底円筒形状であるが、横断面形状は円形、多角形のものであってもよいが、特に内容液が残留し難くい円形で形成することが好ましい。貯蔵室本体１８の外径は、蓋取付部１０の内径とほぼ同じか小さく形成されている。貯蔵室本体１８の上部にはややテーパー面が形成された円環状の肩部１９が設けられ、肩部１９の周囲には半径方向外側へ僅かに突出する環状ビード２２が形成されているのが好ましい。
【００１５】
環状ビード２２は、外容器２の段差部１５に対応する位置及び段差部１５に嵌合する形状に形成される場合は、抜けにくくなり好適である。また、貯蔵室本体１８の内圧を緩和するために、貯蔵室本体１８の一部に蛇腹状構造を設けると、内容液の噴きだし噴きこぼれやボタ落ちを防ぐ効果が高まるため好ましい。
上述したように、貯蔵室本体１８が外容器２に組み込まれると、フランジ２１が受け口１１に懸架され、上述した、環状ビード２２が段差部１５に嵌合する。そして、貯蔵室本体１８の外周面と外容器２の収容部本体８の内周面との間に間隙が形成され、貯蔵室本体１８の底壁２３の下面と収容部本体８の底壁１３の上面との間に間隙が形成される。また、頸部２０の外周面と蓋取付部１０の内周面との間に空隙が形成される。
【００１６】
外容器２（収容部本体８）と貯蔵室本体１８との間隙は、吐出性及び断熱性の向上を図るため、以下の範囲で形成されることが好ましい。
断熱効果が得られるように０．１ｍｍ
以上より好ましくは０．５ｍｍ以上の距離を保ちつつ、貯蔵室本体１８を違和感なく変形させることができる１ｃｍ 以内より好ましくは４ｍｍ以内としている。また、吐出性の向上を図るため、外容器２と貯蔵室本体１８が一部接していても良い。ただし、熱の遮断効果を発揮させるため貯蔵室本体１８の総面積に対して１０％以内、好ましくは５％以内、特に好ましくは３％以内とすることが好ましい。
【００１７】
外容器２と貯蔵室本体１８の硬さ（種類と厚み）は、運搬時の内容液保護の観点から一定以上の硬さは必要であるが、変形させやすいように収容部本体８、貯蔵室本体１８は一定の柔らかさも必要である。ただし、柔らかすぎると収容部本体８を一気に押し込みすぎて、液がボタ落ちしてしまうため、収容部本体８と貯蔵室本体１８の硬さの調整が重要である。
容器の押し込み易さの評価として、外容器２の場合には、容器を横向きに（図５のA-A面を天秤の一面と平行に）天秤にのせ、図５に示す容器側面の真上方向（A-A面と垂直方向）から８０ｍｍ２の面積で力をかけ、容器側面が０．５ｍｍ下側に変形するのに要した力の最大値を測定する。また、貯蔵室本体１８の場合には、外容器２と同様に、図９に示す容器側面の真上から力をかけ測定する。
上記評価において、外容器２は押し込み易くするために２００ｇｆ〜７００ｇｆ、好ましくは３００ｇｆ〜６００ｇｆ、より好ましくは３５０ｇｆ〜５００ｇｆの荷重で０．５ｍｍ変形することが好ましく、貯蔵室本体１８は柔らかすぎてボタ落ちするのを防ぐために上記押し込み易さの評価として中容器の１．０５〜３倍、好ましくは１．１倍〜２倍、にすることが好ましい。
【００１８】
ノズル中蓋４には、ノズル２７が形成されており、図１〜図４とともに図１１及び図１２を参照にして、ノズル２７は、先端部に先端側に向かって拡径するテーパー面を設けた吐出口３３が形成されている方が好ましい。ノズル通路形状は特に限定されず、内容液の粘度によって好ましい形状を選択すれば良い。内容液がアルコール類やアセトン類の場合には、液粘度が低いためボタ落ちを防ぐために、ノズル通路の一部をできるだけ細くしていることが好ましく、ノズル通路の最も細い径の大きさが２ｍｍ以下、より好ましくは１．８ｍｍ以下とすることが好ましい。ノズル通路は、本実施形態のように先端側に小径通路３４が形成され、基端側に大径通路３５が形成されていることが好ましい。特に、内容液を滴下した後、ノズル内に内容液が残留すると噴きこぼれの原因になるため、できるだけノズル内に内容液が残留しないように、ノズル小径通路３４はできるだけ短い方が良いが、液粘度が低い場合には液のボタ落ちを防ぐために一定の長さが必要である。したがって、ノズル小径通路３４の長さは０．５〜８ｍｍ、好ましくは１〜５ｍｍ、より好ましくは１．５〜４ｍｍとすることが好ましい。また、基端側の大径通路３５は、吐出感の向上や噴きあがり防止のために、内容液がスムーズに出入りできるような形に設計することが好ましく、円筒形状、あるいは基端側に向かって径が広がるようなテーパーを有する円錐形状やドーム状とすることが好ましい。具体的には、高さ２〜１７ｍｍ、好ましくは５〜１５ｍｍ、より好ましくは７〜１３ｍｍとすることが好ましい。
【００１９】
これらの通路３４，３５は貯蔵室本体１８に連通する。また、滴下液に気泡が混入しないようにするために、小径通路３４と大径通路３５の連結部に位置させて、内周側に凹溝３６が形成されていてもよい。また、蓋取付部１０への内容液の汚染や、該部位での内容液の硬化により外蓋５が蓋取付部１０にて固着することを防止するために、ノズル２７の外周側に段部３８を形成し、ノズル２７の周囲に溝３０を設けることが好ましい。該溝３０は、どこに設けても良いが、本実施形態のように、ノズル２７の基端側（図面下側）の周囲に、ノズル２７を円形状に囲むように設けると好ましい。段部３８は、ノズル２７の先端の液滴が滴下され易くする効果や、ノズル基端側に液が回り込み難くする効果があり、溝３０は回り込んでしまった液を一時的に又は永久的に保留することで、蓋取付部１０に液が流れ込むことを抑止する効果がある。
【００２０】
前述したように、ノズル中蓋４は貯蔵室本体１８と一体成形してもよいが、成形のし易さや、内容液の注入し易さから、別部材として成形する方が好ましい。ノズル中蓋４を別部材として成形する場合、ノズル中蓋４は、硬質の合成樹脂で形成されていることが好ましい。また、貯蔵室本体にノズル中蓋４を装着する方法は、気密性が保たれればネジ閉め、はめ込み、カバーする等どのような方法でもよいが、組み付けや成形方法のし易さから、はめ込みが好ましい。はめ込み方法として、例えば、本実施形態のように、ノズル中蓋４に、貯蔵室本体１８の頸部２０に差し込まれる環状溝部２８を形成し、貯蔵室本体１８のフランジ２１の上面と頸部２０の内周面に、環状溝部２８を形成したノズル中蓋４を装着しても良い。該環状溝部２８の外周面には、外側に突出する環状シール部３７を形成することが好ましく、環状シール部３７は貯蔵室本体１８の頸部２０の内周壁に接触し、中容器とノズル中蓋の密着性・密封性を担保する効果がある。この時、貯蔵室本体１８の頸部２０の内周壁に環状シール部３７と嵌合する環状凹部を設けて密封性を向上することもできるし、Ｏリングを設置する等も可能である。また、環状溝部２８の溝３０の外周側上端部からは、円環板状の環板体２９を半径方向外側へ形成し、貯蔵室本体１８のフランジ２１の上に重なることで、ガタツクことなく、貯蔵室本体１８と外容器２の嵌合が安定した状態で組み付けられるため好ましい。
【００２１】
図３を参照にして、ノズル中蓋４は、環状溝部２８の外径が、貯蔵室本体１８の頸部２０の内径にほぼ等しく、環板体２９の外形状がフランジ２１に等しく形成される。よって、ノズル中蓋４は、貯蔵室本体１８に組み込まれた状態で、環板体２９がフランジ２１の上面に重なり、環状溝部２８の外周面が頸部２０の内周面に嵌合する。そして、特に環状シール部３７（図１１）が、頸部２０の内周面に気密に密接する。
なお、フランジ２１の外周面と受け口１１の接合、フランジ２１と環状板２９は溶着や接着剤などで接合されてもよい。
【００２２】
図４及び図１３を参照にして、外蓋５は、硬質の合成樹脂で形成されているのが好ましく、楕円形の天井壁４１と該天井壁４１から垂下する外周壁４２と、該外周壁４２の内部に設けられた内周壁４３とが形成されている。図のように外容器２が楕円形状の場合には、外周壁４２は楕円筒形状で内周壁４３は円筒形状に成形されているのが、コンパクトであり好ましい。楕円の長軸側に相当する部分について外周壁４２と内周壁４３を２重壁とし、外周壁４２と内周壁４３の間に隙間４６を設け、短軸側に相当する部分について外周壁４２と内周壁４３とが共用して１重壁にすることで、容器の重量を軽くすることができ、材料の使用量を節約することができるため、好適である。容器を小さくするために、外周壁４２（及び天井壁４１）の楕円の外周形状は外容器２の楕円の外周形状に一致させることが好ましい。楕円の長軸側には、外容器２の収容部本体８のように、外周壁４２の下端近傍から上下方向に延びる薄肉部又は凹み部４４（図１）が形成されている場合には外蓋５の開封が容易となり、さらに容器の見た目が小さくなるため好ましい。上述したように、蓋の取り付け方法は、気密性が十分であれば特に限定されないが、ネジ閉め方法が好適であり、内周壁４３の内面には、外容器２の雄ねじ１４と螺着する雌ねじ４５が形成されている。
【００２３】
なお、ねじの構造は特定されないが、開閉の回転距離をできるだけ小さくするために雄ねじ１４と雌ねじ４５は共に２重螺旋ねじであることが好ましい。また、雄ねじ１４は外容器２の蓋取付部１０に２本形成し、その長さを円周方向において、１本が１８０度を少し超える長さにすることにより、半周回転程度で開閉ができるため好適である。このような構造の場合、図５の正面から見た外容器２の雄ねじ１４の形状は背面から見ても同じ形状であり、図６の外容器２の側面から見た外容器２は、反対側の側面から見ても同じ形状となる。
容器の気密性の確保の方法は特に限定されないが、例えば本実施形態においては、外蓋５の天井壁４１の底面には中心部に円錐形状の突起４７が下向きに形成され、突起４７はノズル中蓋４の円錐形状の吐出口３３（図１１）に対応する形状に形成され、外蓋５が外容器２に装着された状態で、突起４７は吐出口３３に密接した状態で嵌合することで、容器の気密性を確保している。突起４７の周囲には間隔を開けて、複数（４つ）のガイド突起４８が同心円上に形成されている場合には、吐出口３３がスムーズに突起４７に嵌合するため好ましい。各ガイド突起４８の先端は、ノズル２７の先端を突起４７に案内する傾斜面が形成し、ガイド突起４８の天井壁４１側はノズル２７の外周を位置決めするように形成されている場合には、外蓋５が装着し易くなりまたノズル２７の折れを防止できるため、より好ましい。
【００２４】
このような、構成により、液体容器１を組み付けるには（一例として）、歯科用材料を充填した貯蔵室本体１８にノズル中蓋４を組み込む。すなわち、頸部２０の内周面に環状溝部２８の外周面を組み込み、貯蔵室本体１８にノズル中蓋４を嵌合させる。ノズル中蓋４には、環状シール部３７（図１１）を形成しているので、頸部２０の内周面と環状溝部２８の外周面との間を気密にする。また、平坦なフランジ２１と環板体２９とが重なることで、ガタツクことなく、安定した状態で組み付けられる。
なお、貯蔵室本体１８は、可撓性を有する材料で形成するが、硬質のノズル中蓋４を組み込むことで、貯蔵室本体１８の頸部２０とフランジ２１が強化される。
【００２５】
中容器３を外容器２に組み込むには、貯蔵室本体１８を蓋取付部１０の受け口１１から組み込むが、貯蔵室本体１８の外径と蓋取付部１０の内径とがほぼ同じか僅かに小さいので、弾性体である外容器２に無理なく組み込むことができる。一方、貯蔵室本体１８の上端に形成されている環状ビード２２の外径は、やや蓋取付部１０の内径よりも大きく形成されているが、いずれも弾性を有する部材で形成されているので、中容器３を押し込むことによって、組み込むことができる。
環状フランジ２１が受け口１１に当接するまで、貯蔵室本体１８が収容部本体８に組込まれると、環状ビード２２が段差部１５に嵌合し、中容器３が外容器２、安定した状態で組み付けられる。上述したように、貯蔵室本体１８の外周面と収容部本体８の内周面との間に間隙が形成され、貯蔵室本体１８の底壁２３の下面と収容部本体８の底壁１３の上面との間に間隙が形成され、頸部２０の外周面と蓋取付部１０の内周面との間に空隙が形成される。
【００２６】
外蓋５を外容器２に組み付けるには、外蓋５の雌ねじ４５を蓋取付部１０の雄ねじ１４に螺着する。上述したように、外蓋５の開閉を容易にするために、２重螺旋である一対の雄ねじ１４は、円周方向に１８０度をやや超える程度の長さとし、外蓋５が、約半回転（１８０度）で閉じる構造にすることが好ましい。さらに本実施形態のように外蓋５は、図１の薄肉部４４が外容器２の薄肉部１２の周角度が一致する箇所で雄ねじ１４と雌ねじ４５の螺合が終了するが、外蓋５が１８０度を回転する前に外蓋５の外周壁４２の下端と外容器２の台座面１６の上面とが先に接触するように形成することが好ましい。このような構造にすることによって、外蓋５は外周壁４２が台座面１６に乗り上げるようにして、少し抵抗をもって回転する（外蓋５が外容器２側に引き寄せられる）。そして、１８０度回転すると、楕円形状の台座面１６と楕円形状の外周壁４２の下端内周面の形状が正しく重なり合って、外蓋５が台座面１６の段差に落ち込むようにして嵌合する。こうして、外蓋５はしっかりと外容器２に装着される。作業者は、回転させることによって、外蓋５が台座面１６の段差に自主的に落ち込むので、外蓋５が所定位置で閉じたことが、感触で分かる。そして、外蓋５が外容器２を閉塞した状態では、薄肉部１２，４４が上下に整列して、常に両者の楕円形状の周角度のずれがなく装着され、意匠的にも良好である。
【００２７】
液体容器１を使用するときには、冷温庫等に貯蔵していた液体容器１を取り出す。そして、外容器２から外蓋５を外し、吐出口３３を重力方向に向けた状態で、楕円形状の収容部本体８の短軸側の面を指先で挟持するように掴む。普通に指先で掴んでいる状態では、収容部本体８と貯蔵室本体１８とは非接触状態にあり、空気が断熱材となって、指先の熱が直接、貯蔵室本体１８に伝わることがないために内容液のボタ落ちを防止できる。内容液を受け皿やシートに滴下するときは、収容部本体８を短軸側の両側から押し込み、貯蔵室本体１８に接触させて、又は収容部本体８の押し込み圧により中容器３を押圧する。その後、該押圧力を解除することで、可撓性である貯蔵室本体１８と収容部本体８がもとの形状に復帰することで、貯蔵室本体１８内が引圧になり、ノズル内部の内容液を貯蔵室本体１８に戻す効果が発揮される。
内容液であるが歯科用接着材（ボンディング材）である場合は、光重合型が多く、そのような場合には遮光性の容器である必要がある。上述したように、本実施形態のように二重構造である場合、外容器２と中容器３のどちらかに遮光性であれば良いが、外容器２を半透明・透明にすることによって、中容器３を視認しやすくする態様は吐出感をより良くしている。
【００２８】
すなわち、外容器２は透明又は半透明であり、内部の貯蔵室本体１８が見えているので、容器が内外の二重構造になっていることが分かる。こうして、二重構造であることを明確にし、貯蔵室本体１８を押すという感覚を与えることができる。そのため、中身が見えないことによるストレスが少なくなり、二重構造による吐出性の低下を抑制でき、押圧力の手加減を知ることができる。
こうした指先の押圧力によって、貯蔵室本体１８の内部容積の減少とともに内部圧力の上昇によりノズル２７の吐出口３３から内容液を滴下させることができる。中容器３と外容器２が可撓性であるため、内容液を１滴毎に吐出させるための応答力はよく、吐出口３３から滴下されようとしている内容液の一滴について、押圧力を緩めることで吐出口３３から容器内に戻すことができ、さらに押圧力を強めることによって、滴下させることができる。
【００２９】
吐出口３３から、内容液を滴下させる場合は、液体容器１を逆さに向けたり、傾けて使用するときがある。この際、容器の軸が水平方向に近いような状態では、吐出口３３から滴となった内容液がノズルの外周を根もと側へ逆流することがある。このような場合は、ノズル２７に段部３８を形成した場合は、ノズル２７の根もと側への回り込みを防止するとともに、内容液を滴下する際の容器の傾きに対し、ノズル２７に回り込んだ内容液を、段部３８で滴下させるようにすることができ好適である。ノズル中蓋４の全体または一部を撥水処理をしても良いし、撥水性の材料で成形しても良い。
【００３０】
このように、収容部本体８と貯蔵室本体１８との間に間隙があり、換言すれば、中容器３が外容器２と接している部分は受け口１１と段差部１５のみである。また、それらは両者共に滴下時に指先が触れない部分であるので、作業中でもそれらの部分から貯蔵室本体１８に熱伝導することがなく、空気の断熱材としての効果を十分に発揮させる。よって、冷温庫から室温への温度変化の影響を少なくする。また、作業中においては、内容液を滴下させるときに収容部本体８と貯蔵室本体１８とが接触するが、ただ単に手で保持している状態では、収容部本体８と貯蔵室本体１８との接触はなく、作業者の体温が貯蔵室本体１８に伝わるのを抑制できる。また、手で外容器を押し込んで両者が接触した場合であっても２重壁となっているので、貯蔵室本体１８への接触面積が小さくなる。すなわち、指先は収容部本体８と面接触になるが、収容部本体８と貯蔵室本体１８の接触は、その面接触の面積よりも十分に小さく、この点においても貯蔵室本体１８への熱伝導を抑制できる。また、収容部本体８の底壁１３と貯蔵室本体１８の底壁２３との間にも空隙があるので、底部から熱伝導が抑止される。
【００３１】
冷温庫等に貯蔵していた液体容器１を取り出した直後の室温による熱の影響や、作業中に、液体容器１を持ち続けた時の作業者の体温からの熱の影響が従来よりも抑えられており、ノズル内に残留した内容液の噴き出しを抑制するようになる。
また、液体容器１を起立姿勢で載置した場合、ノズル２７が上向きであるので、ノズル２７の外周面に回り込んでいた内容液が存在したり、噴きだしを抑制しているにもかかわらず、ノズル２７内部に残留した内容液が噴き出すおそれがある。本実施形態では、そのような内容液は溝３０に入り込み、雄ねじ１４のある蓋取付部１０や収容部本体８への回り込みを防止している。よって、外蓋５を取付けたときに、回り込んだ内容液が固化して外蓋５を開けることができなかったり、収容部本体８へ回り込んだ内容液に作業者が触れることが防止できる。
【００３２】
また、作業が終わり、外蓋５を外容器２に装着させた状態では、ノズル２７の吐出口３３が突起４７に差し込まれ、内容液が漏れないようにシールされる。
歯科用接着剤が、揮発性有機物を使用している場合は、容器の気密性が重要になる。ノズル部分の気密性を保つために、外蓋５にノズル２７の吐出口３３にはまる突起４７を設けている。しかしながら、吐出口３３の径が非常に小さいため、外蓋５を斜めに閉めてしまった場合に、突起４７が吐出口３３にはまらず、気密性が低下することがある。
また、外蓋５を無理やり押し込んだ場合には、吐出口３３の径が広がったり、突起４７が潰れたりすると、気密性が低下する。
これらの問題点を改善するために、必ず突起４７が吐出口３３にはまり込むように、本実施形態のように外蓋５の突起４７の回りにガイド突起４８を設けることが好ましい。
【００３３】
また、本実施形態では、ボトルの形状を楕円にすることで、断熱の空間を広く設けつつ、収容部本体８の押圧時に、収容部本体８と貯蔵室本体１８との距離を近づけることで、滴下しやすくしている。その他メリットとして、転がり難い利点がある。また液体容器１と外蓋５を把持し易くなり外蓋５が開けやすくなる。
また、外容器２と中容器３の間の気密性について、断熱効果を最大限に発揮させるためには気密性が高い方が効果的である。すなわち、冷温庫に貯蔵していた場合は、収容部本体８と貯蔵室本体１８との間の空気が室温よりも低く、その反面、押し込む際に空気を圧縮させる力が必要になり、滴下の際の押し込み感が重くなる。したがって、受け口１１に空気流通用の僅かなスリット（図示せず）を設けることが好ましい。略密閉型の設計にすることで、空気の交換は最小限に抑え、断熱効果を最大限発揮させることができ、押し込む際には中から空気が逃げるため、押し感が重くなることがない。
【００３４】
以上、本発明を実施形態に基づいて添付図面を参照しながら詳細に説明したが、本発明は上記実施形態に限定されるものではなく、本発明の範囲を逸脱することなく、更に他の変形あるいは変更が可能である。
例えば、上記実施形態では、中容器３の環状フランジ２１を受け口１１に懸架させ、環状ビード２２を段差部１５に保持させて、中容器３を外容器２に支持させているが、環状ビード２２を段差部１５については省略して、非接触状態にすることができる。
【符号の説明】
【００３５】
１  液体容器
２  外容器
３  中容器
４  ノズル中蓋
５  外蓋
８  収容部本体
１０  蓋取付部
１１  受け口
１５  段差部
１８  貯蔵室本体
１９  肩部
２０  頸部
２１  環状フランジ
２２  環状ビード
２７  ノズル
２８  環状溝部
３３  吐出口
３７  環状シール部
４７  突起
４８  ガイド突起
【図１】
2015157643.tif 000003
【図２】
2015157643.tif 000004
【図３】
2015157643.tif 000005
【図４】
2015157643.tif 000006
【図５】
2015157643.tif 000007
【図６】
2015157643.tif 000008
【図７】
2015157643.tif 000009
【図８】
2015157643.tif 000010
【図９】
2015157643.tif 000011
【図１０】
2015157643.tif 000012
【図１１】
2015157643.tif 000013
【図１２】
2015157643.tif 000014
【図１３】
2015157643.tif 000015